(57)【要約】【課題】中空のケーシング（１０）内で２つのファン（９５，９６）が収納された調湿装置において、メンテナンスの際の作業性を向上させる。【解決手段】扁平な直方体状のケーシング（１０）内に、第１及び第２吹出ファン（９５，９６）により第１及び第２の被処理空気を流通させると共に、吸着素子（８１，８２）を再生するために該吸着素子（８１，８２）へ向かう被処理空気を加熱する加熱器（１０２）を設け、ケーシング（１０）内での被処理空気の流通経路を切り換えることにより、第１吸着素子（８１）と第２吸着素子（８２）とを交互に用いて室内へ供給される被処理空気の除湿又は加湿を行う調湿装置において、ケーシング（１０）の内部に、その側壁部の１つである第１パネル（１１）に沿って上記第１及び第２吹出ファン（９５，９６）を並べる。【選択図】  図１
2004353989.tif 000002
【特許請求の範囲】
【請求項１】
第１及び第２のファン（９５，９６）により中空のケーシング（１０）内で第１及び第２の被処理空気を流通させると共に、吸着素子（８１，８２）を再生するために該吸着素子（８１，８２）へ向かう被処理空気を加熱する加熱器（１０２）が上記ケーシング（１０）内に設けられており、
上記ケーシング（１０）内での被処理空気の流通経路を切り換えることにより、第１吸着素子（８１）と第２吸着素子（８２）とを交互に用いて室内へ供給される被処理空気の除湿又は加湿を行う調湿装置であって、
上記ケーシング（１０）は、扁平な直方体状に形成される一方、
上記ケーシング（１０）の内部では、第１及び第２のファン（９５，９６）が該ケーシング（１０）の側壁部のうちの１つであるファン側側壁部（１１）に沿って並ぶように配置されていることを特徴とする調湿装置。
【請求項２】
請求項１に記載の調湿装置において、
ケーシング（１０）のファン側側壁部（１１）には、第１及び第２のファン（９５，９６）を該ケーシング（１０）から取り出し可能とするためのファン点検用蓋（１２１，１２３）が設けられていることを特徴とする調湿装置。
【請求項３】
請求項２に記載の調湿装置において、
第１のファン（９５）と第２のファン（９６）はファン点検用蓋（１２１，１２３）の内側面に取り付けられていることを特徴とする調湿装置。
【請求項４】
請求項２に記載の調湿装置において、
加熱器（１０２）が凝縮器として接続されて冷凍サイクルを行う冷媒回路を備える一方、
上記冷媒回路の圧縮機（１０１）は、ファン点検用蓋（１２１，１２３）を開いた状態でケーシング（１０）から取り出し可能となるように、該ケーシング（１０）内における第１又は第２のファン（９６）の近傍に配置されていることを特徴とする調湿装置。
【請求項５】
請求項２に記載の調湿装置において、
第１及び第２吸着素子（８２）は、それぞれが直方体状に形成されると共に、それぞれの長手方向がファン側側壁部（１１）の長手方向に沿う姿勢で互いに平行に並んで上記ケーシング（１０）内に配置され、
上記ケーシング（１０）内における第１吸着素子（８１）と第２吸着素子（８２）の間に加熱器（１０２）が設置される一方、
上記ケーシング（１０）においてファン側側壁部（１１）に直交する側壁部（１７，１８）の少なくとも１つには、第１及び第２吸着素子（８１，８２）を該ケーシング（１０）から取り出し可能とするための素子点検用蓋（１３１，１３２）が設けられていることを特徴とする調湿装置。
【請求項６】
請求項２に記載の調湿装置において、
加熱器（１０２）が凝縮器として接続されて冷凍サイクルを行うと共に冷凍サイクル中に蒸発器として機能し得る２つの熱交換器（１０３，１０４）が接続された冷媒回路を備える一方、
ケーシング（１０）のファン側側壁部（１１）には、第１のファン（９５）の吹出側が接続される吹出口（１４）と第２のファン（９６）の吹出側が接続される吹出口（１６）とが形成されており、
上記ケーシング（１０）内では、上記冷媒回路の２つの熱交換器（１０３，１０４）のうち一方が第１のファン（９５）の吸込側近傍に、他方が第２のファン（９６）の吸込側近傍にそれぞれ配置されていることを特徴とする調湿装置。
【請求項７】
請求項１乃至６のいずれか１つに記載の調湿装置において、
ケーシング（１０）のファン側側壁部（１１）には、第１吹出口（１４）と第２吹出口（１６）とが該ファン側側壁部（１１）の長手方向に並んで開口し、
上記ファン側側壁部（１１）に対向するケーシング（１０）の側壁部（１２）には、上記第２吹出口（１６）に対向する位置に第１吸込口（１３）が、上記第１吹出口（１４）に対向する位置に第２吸込口（１５）がそれぞれ開口しており、
第１及び第２の被処理空気のいずれか一方を第１吸込口（１３）から第１吹出口（１４）へと流通させて他方を第２吸込口（１５）から第２吹出口（１６）へと流通させるように構成される一方、
上記第１吸込口（１３）及び第２吹出口（１６）が室外に連通して上記第２吸込口（１５）及び第１吹出口（１４）が室内に連通する設置状態に対応した第１の運転制御と、上記第１吸込口（１３）及び第２吹出口（１６）が室内に連通して上記第２吸込口（１５）及び第１吹出口（１４）が室外に連通する設置状態に対応した第２の運転制御とが切換可能になっていることを特徴とする調湿装置。
【発明の詳細な説明】
【０００１】
【発明の属する技術分野】
本発明は、空気の湿度調節を行う調湿装置に関する技術分野に属する。
【０００２】
【従来の技術】
従来より、吸着材を用いて空気の湿度調節を行う調湿装置が知られている。例えば、特許文献１に開示されている調湿装置では、第１及び第２のファンにより中空のケーシング内で第１及び第２の被処理空気が流通される。ケーシング内では、被処理空気の流通経路が切り換えられ、各吸着素子において水分の吸着と脱離が交互に行われる。そして、上記調湿装置は、第１の吸着素子と第２の吸着素子とを交互に用い、室内へ供給される被処理空気の除湿又は加湿を行うように構成されている。
【０００３】
特許文献１の調湿装置において、吸着素子には、吸着側の空気通路と冷却側の空気通路とが複数ずつ形成される。この調湿装置において、第１の吸着素子には第１の被処理空気が供給され、第２の吸着素子には第２の被処理空気が供給される。そして、第１の吸着素子で第１の被処理空気中の水分が吸着材に吸着される。その際、吸着側の空気通路で生じた吸着熱は、冷却側の空気通路を流れる第２の被処理空気に吸熱される。また、第２の吸着素子では、加熱されて高温となった第２の被処理空気によって吸着材が再生される。この状態が暫く続いた後に、今度は第１の吸着素子へ第２の被処理空気が供給されて第２の吸着素子へ第１の被処理空気が供給される。上記調湿装置は、この２つの動作を交互に繰り返し、除湿された第１の被処理空気を室内へ供給する運転や、加湿された第２の被処理空気を室内へ供給する運転を行う。
【０００４】
【特許文献１】
特開２００２−２２２０６号公報
【０００５】
【発明が解決しようとする課題】
ところで、このような調湿装置は、屋内の天井裏に設けられることが多いため、そのケーシングは通常、扁平な直方体状に形成される。また、２つの吸着素子は、ケーシングの形状に合わせてそれぞれ直方体状に形成される。この２つの吸着素子は一般に各々の長手方向中心部を揃えるように、互いに平行に並んでケーシング内に配置される。ケーシング内における２つの吸着素子の間には、吸着素子を再生するために、この吸着素子へ向かう被処理空気を加熱する加熱器が設置される。
【０００６】
上記調湿装置では、例えばケーシングの一対の側壁部のうちいずれか一方に第１の被処理空気を取り入れる吸込口と第２の被処理空気を吹き出す吹出口とが設けられ、他方に第２の被処理空気を取り入れる吸込口と第１の被処理空気を吹き出す吹出口とが設けられる。また上記調湿装置では、ケーシング内で２種類の被処理空気の一方が他方へ混入するのを防ぐために、第１及び第２のファンをそれぞれ上記いずれかの吹出口側に設け、ケーシング内の全体を陰圧に保っている。
【０００７】
このとき、上記ケーシング内では、一方の側壁部と吸着素子の間に一方のファンが配置され、反対側の側壁部と吸着素子の間に他方のファンが配置される。このため、これらのファン及び吸着素子の設置スペースを確保しようとすると、ケーシングが長細いものとなる。
【０００８】
さらに、ファンの配置に合わせてケーシングの２つの側壁部にファン点検用蓋設けられているので、ファンのメンテナンスをする際には、両側のファン点検用蓋を開けなければならず、手間がかかるという問題があった。
【０００９】
本発明は斯かる諸点に鑑みてなされたものであり、その目的とするところは、ケーシング内のファンの配置に工夫を加えることにより、サイズが小さくてメンテナンスのしやすい調湿装置を提供することにある。
【００１０】
【課題を解決するための手段】
上記の目的を達成するために、請求項１の発明では、第１及び第２のファン（９５，９６）により中空のケーシング（１０）内で第１及び第２の被処理空気を流通させると共に、吸着素子を再生するために該吸着素子へ向かう被処理空気を加熱する加熱器（１０２）がケーシング（１０）内に設けられており、ケーシング（１０）内での被処理空気の流通経路を切り換えることにより、第１吸着素子（８１）と第２吸着素子（８２）とを交互に用いて室内へ供給される被処理空気の除湿又は加湿を行う調湿装置を対象とする。
【００１１】
そして、上記ケーシング（１０）は、扁平な直方体状に形成される一方、ケーシング（１０）の内部では、第１及び第２のファン（９５，９６）が該ケーシング（１０）の側壁部のうちの１つであるファン側側壁部（１１）に沿って並ぶように配置される。
【００１２】
上記の構成によると、第１及び第２のファン（９５，９６）の作用により中空のケーシング（１０）内に第１及び第２の被処理空気が取り入れられる。そして、ケーシング（１０）内での被処理空気の流通経路を切り換えることで、室内へ供給する被処理空気を除湿し又は加湿するために、第１吸着素子（８１）と第２吸着素子（８２）とが交互に用いられる。また、加熱器（１０２）により吸着素子（８１，８２）へ向かう被処理空気が加熱されて吸着素子が再生される。
【００１３】
この発明の調湿装置では、ケーシング（１０）は扁平な直方体状に形成される。ケーシング（１０）の内部に、その側壁部の１つに沿って並ぶように第１及び第２のファン（９５，９６）が配置される。すなわち、２つのファン（９５，９６）がケーシング（１０）のファン側側壁部（１１）側に集約される。
【００１４】
請求項２の発明では、ケーシング（１０）のファン側側壁部（１１）には、第１及び第２のファン（９５，９６）を該ケーシング（１０）から取り出し可能とするためのファン点検用蓋（１２１，１２３）が設けられる。
【００１５】
上記の構成によると、第１及び第２のファン（９５，９６）はファン側側壁部（１１）に沿って並ぶように配置されるので、該ファン側側壁部（１１）に設けられたファン点検用蓋（１２１，１２３）を開くと、第１及び第２のファン（９５，９６）がケーシング（１０）から取り出し可能となる。
【００１６】
請求項３の発明では、第１のファン（９５）と第２のファン（９６）はファン点検用蓋（１２１，１２３）の内側面に取り付けられる。
【００１７】
上記の構成によると、ファン点検用蓋（１２１，１２３）を開く際には、このファン点検用蓋（１２１，１２３）の移動に伴って第１及び第２のファン（９５，９６）がケーシング（１０）から取り出される。
【００１８】
請求項４の発明では、加熱器（１０２）が凝縮器として接続されて冷凍サイクルを行う冷媒回路を備える一方、冷媒回路の圧縮機（１０１）は、ファン点検用蓋（１２１，１２３）を開いた状態でケーシング（１０）から取り出し可能となるように、該ケーシング（１０）内における第１又は第２のファン（９６）の近傍に配置される。
【００１９】
上記の構成によると、凝縮器としての加熱器（１０２）と圧縮機（１０１）とが接続された冷媒回路で冷媒が循環して冷凍サイクルが行われる。この圧縮機（１０１）は、ケーシング（１０）内における第１のファン（９５）又は第２のファン（９６）の近傍に配置される。ファン点検用蓋（１２１，１２３）を開くと、その近傍に配置された圧縮機（１０１）もケーシング（１０）から取り出し可能となる。
【００２０】
請求項５の発明では、第１及び第２吸着素子（８１，８２）は、それぞれが直方体状に形成されると共に、それぞれの長手方向がファン側側壁部（１１）の長手方向に沿う姿勢で互いに平行に並んで上記ケーシング（１０）内に配置され、ケーシング（１０）内における第１吸着素子（８１）と第２吸着素子（８２）の間に加熱器（１０２）が設置される一方、ケーシング（１０）においてファン側側壁部（１１）に直交する側壁部（１７，１８）の少なくとも１つには、第１及び第２吸着素子（８１，８２）を該ケーシング（１０）から取り出し可能とするための素子点検用蓋（１３１，１３２）が設けられる。
【００２１】
上記の構成によると、それぞれ直方体状に形成された第１吸着素子（８１）と第２吸着素子（８２）は、それぞれの長手方向がファン側側壁部（１１）の長手方向に沿う姿勢で互いに平行に並んでケーシング（１０）内に配置される。この第１吸着素子（８１）と第２吸着素子（８２）の間に加熱器（１０２）が設置される。ケーシング（１０）のファン側側壁部（１１）に直交する側壁部（１７，１８）の少なくとも１つには、素子点検用蓋（１３１，１３２）が設けられている。この素子点検用蓋（１３１，１３２）を開いて第１及び第２吸着素子（８１，８２）をそれぞれの長手方向へ引き出せば、これら吸着素子（８１，８２）がケーシング（１０）から取り出される。
【００２２】
請求項６の発明では、加熱器（１０２）が凝縮器として接続されて冷凍サイクルを行うと共に冷凍サイクル中に蒸発器として機能し得る２つの熱交換器（１０３，１０４）が接続された冷媒回路を備える一方、ケーシング（１０）のファン側側壁部（１１）には、第１のファン（９５）の吹出側が接続される吹出口（１４）と第２のファン（９６）の吹出側が接続される吹出口（１６）とが形成されており、ケーシング（１０）内では、上記冷媒回路の２つの熱交換器（１０３，１０４）のうち一方が第１のファン（９５）の吸込側近傍に、他方が第２のファン（９６）の吸込側近傍にそれぞれ配置される。
【００２３】
上記の構成によると、冷媒回路に設けられた２つの熱交換器（１０３，１０４）が、調湿装置の運転に応じて適宜蒸発器として機能する。ケーシング（１０）のファン側側壁部（１１）には、２つの吹出口（１４，１６）が設けられる。この吹出口（１４，１６）の一方に第１のファン（９５）の吹出側が接続され、他方に第２のファン（９６）の吹出側が接続される。熱交換器（１０３，１０４）のうち一方が第１のファン（９５）の吸気側近傍に、他方が第２のファン（９６）の吸気側近傍にそれぞれ配置される。つまり、各熱交換器（１０３，１０４）は各ファン（９５，９６）の上流側に配置される。
【００２４】
請求項７の発明では、ケーシング（１０）のファン側側壁部（１１）には、第１吹出口（１４）と第２吹出口（１６）とがファン側側壁部（１１）の長手方向に並んで開口し、ファン側側壁部（１１）に対向するケーシング（１０）の側壁部（１２）には、第２吹出口（１６）に対向する位置に第１吸込口（１３）が、第１吹出口（１４）に対向する位置に第２吸込口（１５）がそれぞれ開口しており、第１及び第２の被処理空気のいずれか一方を第１吸込口（１３）から第１吹出口（１４）へと流通させて他方を第２吸込口（１５）から第２吹出口（１６）へと流通させるように構成される一方、第１吸込口（１３）及び第２吹出口（１６）が室外に連通して第２吸込口（１５）及び第１吹出口（１４）が室内に連通する設置状態に対応した第１の運転制御と、第１吸込口（１３）及び第２吹出口（１６）が室内に連通して第２吸込口（１５）及び第１吹出口（１４）が室外に連通する設置状態に対応した第２の運転制御とが切換可能な構成とする。
【００２５】
上記の構成において、ケーシング（１０）では、ファン側側壁部（１１）に第１吸込口（１３）及び第２吹出口（１６）が並んで形成され、ファン側側壁部（１１）に対向する側壁部（１２）に第１吸込口（１３）及び第２吸込口（１５）が形成される。また、このケーシング（１０）では、第２吹出口（１６）と向き合う位置に第１吸込口（１３）が形成され、第１吹出口（１４）に向き合う位置に第２吸込口（１５）が形成される。
【００２６】
第１吸込口（１３）及び第２吹出口（１６）が室外に連通して上記第２吸込口（１５）及び第１吹出口（１４）が室内に連通するように調湿装置を設置した場合、調湿装置では、被処理空気として取り組まれた室外空気が第１吸込口（１３）から第１吹出口（１４）へ向かって流れ、被処理空気として取り組まれた室内空気が第２吸込口（１５）から第２吹出口（１６）へ向かって流れる。この設置状態では、調湿装置において第１の運転制御が行われる。第１の運転制御では、この設置状態で室内へ供給される被処理空気の除湿又は加湿が行われるように、被処理空気の流通経路の切り換え等を行う。
【００２７】
逆に、第１吸込口（１３）及び第２吹出口（１６）が室内に連通して上記第２吸込口（１５）及び第１吹出口（１４）が室外に連通するように調湿装置を設置した場合、調湿装置では、被処理空気として取り組まれた室内空気が第１吸込口（１３）から第１吹出口（１４）へ向かって流れ、被処理空気として取り組まれた室外空気が第２吸込口（１５）から第２吹出口（１６）へ向かって流れる。この設置状態では、調湿装置において第２の運転制御が行われる。第２の運転制御では、この設置状態で室内へ供給される被処理空気の除湿又は加湿が行われるように、被処理空気の流通経路の切り換え等を行う。
【００２８】
【発明の実施の形態】
（実施形態１）
以下、本発明の実施形態を図面に基づいて説明する。なお、以下の実施形態は、本質的に好ましい例示に過ぎず、本発明、その適用物や用途の範囲を制限することを意図するものでは全くない。
【００２９】
実施形態１に係る調湿装置は、減湿された空気を室内へ供給する除湿運転と、加湿された空気を室内へ供給する加湿運転とを切り換えて行うように構成されていて、例えば屋内の天井面（Ｒ）に取り付けられる。また、この調湿装置は、冷媒回路と２つの吸着素子（８１，８２）とを備え、いわゆるバッチ式の動作を行うように構成されている。
【００３０】
ここでは、本実施形態に係る調湿装置の構成について、図１〜図９を参照しながら説明する。なお、本実施形態の説明において、「上」  「下」  「左」  「右」  「前」  「後」  「手前」  「奥」  は、特にことわらない限り、図１に示す調湿装置を正面側（同図で下側）から見た場合のものを意味している。
【００３１】
図１に示すように、上記調湿装置は、やや扁平な直方体状のケーシング（１０）を備えている。このケーシング（１０）には、２つの吸着素子（８１，８２）と、冷媒回路とが収納されている。
【００３２】
冷媒回路では、加熱器としての再生熱交換器（１０２）、第１熱交換器（１０３）、第２熱交換器（１０４）、圧縮機（１０１）、及び膨張弁が配管によって接続されている。なお、膨張弁及び配管の図示は省略する。この冷媒回路では、充填された冷媒を循環させることによって冷凍サイクルが行われる。また、冷媒回路は、第１熱交換器（１０３）が蒸発器となる運転と、第２熱交換器（１０４）が蒸発器となる運転とを切換可能に構成されている。
【００３３】
図６に示すように、上記吸着素子（８１，８２）は、平板状の平板部材（８３）と波形状の波板部材（８４）とを交互に積層して構成されている。波板部材（８４）は、隣接する波板部材（８４）の稜線方向が互いに９０°ずれる姿勢で積層されている。そして、吸着素子（８１，８２）は、全体として直方体状ないし四角柱状に形成されている。
【００３４】
上記吸着素子（８１，８２）には、平板部材（８３）及び波板部材（８４）の積層方向において、調湿側通路（８５）と冷却側通路（８６）とが平板部材（８３）を挟んで交互に区画形成されている。この吸着素子（８１，８２）において、平板部材（８３）の長辺側の側面に調湿側通路（８５）が開口し、平板部材（８３）の短辺側の側面に冷却側通路（８６）が開口している。
【００３５】
上記吸着素子（８１，８２）において、調湿側通路（８５）に臨む平板部材（８３）の表面や、調湿側通路（８５）に設けられた波板部材（８４）の表面には、水蒸気を吸着するための吸着材が塗布されている。この種の吸着材としては、例えばシリカゲル、ゼオライト、イオン交換樹脂等が挙げられる。
【００３６】
また、図１に示すように、第１，第２吸着素子（８１，８２）は、それぞれ長手方向中央部で２分割されていて、メンテナンス時にはその分割された部分の一方のみを取り外すことも可能となっている。なお、第１，第２吸着素子（８１，８２）は、分割されていなくてもよい。
【００３７】
上記ケーシング（１０）において、最も手前側にはファン側側壁部としての第１パネル（１１）が設けられ、該第１パネル（１１）に対向する最も奥側の位置には第２パネル（１２）が設けられている。また、上記ケーシング（１０）において、第１パネル（１１）に直交する右側の第３パネル（１７）と、左側の第４パネル（１８）が設けられている。第１パネル（１１）には、その左端寄りの下部に第１吹出口（１４）が形成され、その右端寄りの下部に第２吹出口（１６）が形成されている。一方、第２パネル（１２）には、その左端寄りに第２吸込口（１５）が形成され、その右端寄りに第１吸込口（１３）が形成されている。
【００３８】
図９に示すように、上記第１パネル（１１）には、その一部がケーシング（１０）から取り外し可能な第１ファン点検用蓋（１２１）と圧縮機点検用蓋（１２２）と第２ファン点検用蓋（１２３）が設けられている。同様に第４パネル（１８）には第１素子点検用蓋（１３１）と第２素子点検用蓋（１３２）が設けられている。
【００３９】
図７，図８に示すように、天井面（Ｒ）におけるケーシング（１０）の第１パネル（１１）近傍には、メンテナンス時に作業員により開閉される第１の点検用マンホール（Ｈ１）が設けられている。一方、天井面（Ｒ）におけるケーシング（１０）の第４パネル（１８）近傍には、メンテナンス時に作業員により開閉される第２の点検用マンホール（Ｈ２）が設けられている。
【００４０】
図１に示すように、ケーシング（１０）の内部は、手前側の第１パネル（１１）から奥側の第２パネル（１２）へ向かう方向において３つの空間に仕切られている。
【００４１】
ケーシング（１０）の第１パネル（１１）寄りに形成された空間は、左右に３つの空間に仕切られている。この３つの空間のうち、右側の空間は第２吹出側流路（４１）を構成し、左側の空間は第１吹出側流路（４２）を構成している。また、第２吹出側流路（４１）と第１吹出側流路（４２）に挟まれた空間は、収容空間（９０）を構成している。閉空間である収容空間（９０）には、冷媒回路の圧縮機（１０１）が設置されている。
【００４２】
第２吹出側流路（４１）は、第２吹出口（１６）に連通している。この第２吹出側流路（４１）には、第２のファンとしての第２吹出ファン（９６）と第２熱交換器（１０４）とが設置されている。第２吹出ファン（９６）は、その吹出側を第２吹出口（１６）に接続させるように上記第１パネル（１１）の第２ファン点検用蓋（１２３）の内側面に取り付けられている。第２熱交換器（１０４）は、第２吹出ファン（９６）へ向かって流れる空気を冷媒回路の冷媒と熱交換させる。
【００４３】
一方、第１吹出側流路（４２）は、第１吹出口（１４）に連通している。この第１吹出側流路（４２）には、第１のファンとしての第１吹出ファン（９５）と第１熱交換器（１０３）とが設置されている。第１吹出ファン（９５）は、その吹出側を第１吹出口（１４）に接続させるように上記第１パネル（１１）の第１ファン点検用蓋（１２１）の内側面に取り付けられている。第１熱交換器（１０３）は、第１吹出ファン（９５）へ向かって流れる空気を冷媒回路の冷媒と熱交換させる。
【００４４】
ケーシング（１０）の第２パネル（１２）寄りに形成された空間は、吸込側仕切板（４８）によって左右に仕切られている。吸込側仕切板（４８）の右側の空間は吸込側右側流路（４５）を構成している。吸込側右側流路（４５）は、第１吸込口（１３）に連通している。一方、吸込側仕切板（４８）の左側の空間は吸込側左側流路（４７）を構成している。吸込側左側流路（４７）は、第２吸込口（１５）に連通している。
【００４５】
ケーシング（１０）の奥行き方向の中央に形成された空間は、右側仕切板（２０）と左側仕切板（３０）とによって左右に３つの空間に仕切られている。
【００４６】
右側仕切板（２０）の右側の空間は、右側上下仕切板（２８）によって上下に仕切られている。そして、この空間は、上側の空間が右上部流路（６５）を構成し、下側の空間が右下部流路（６６）を構成している。右上部流路（６５）は、第２吹出側流路（４１）と連通する一方、吸込側右側流路（４５）から仕切られている。右下部流路（６６）は、吸込側右側流路（４５）と連通する一方、第２吹出側流路（４１）から仕切られている。
【００４７】
左側仕切板（３０）の左側の空間は、左側上下仕切板（３８）によって上下に仕切られている。そして、この空間は、上側の空間が左上部流路（６７）を構成し、下側の空間が左下部流路（６８）を構成している。左上部流路（６７）は、第１吹出側流路（４２）と連通する一方、吸込側左側流路（４７）から仕切られている。左下部流路（６８）は、吸込側左側流路（４７）と連通する一方、第１吹出側流路（４２）から仕切られている。
【００４８】
図５にも示すように、右側仕切板（２０）と左側仕切板（３０）の間には、２つの吸着素子（８１，８２）が設置されている。これら吸着素子（８１，８２）は、所定の間隔をおいてそれぞれの長手方向が第１パネル（１１）の長手方向に沿う姿勢で互いに平行に並んでケーシング（１０）内に配置されている。具体的には、手前側の第１パネル（１１）寄りに第１吸着素子（８１）が設けられ、奥側の第２パネル（１２）寄りに第２吸着素子（８２）が設けられている。
【００４９】
第１，第２吸着素子（８１，８２）は、それぞれにおける平板部材（８３）及び波板部材（８４）の積層方向がケーシング（１０）の左右方向と一致する姿勢で設置されている。この姿勢の各吸着素子（８１，８２）では、その上下の側面に調湿側通路（８５）が開口し、その前後の側面に冷却側通路（８６）が開口する一方、その左右の端面にはいずれの通路（８５，８６）も開口していない。
【００５０】
図５にも示すように、右側仕切板（２０）と左側仕切板（３０）の間の空間は、第１流路（５１）、第２流路（５２）、第１上部流路（５３）、第１下部流路（５４）、第２上部流路（５５）、第２下部流路（５６）、及び中央流路（５７）に区画されている。
【００５１】
第１流路（５１）は、第１吸着素子（８１）の手前側に形成され、第１吸着素子（８１）の冷却側通路（８６）に連通している。第２流路（５２）は、第２吸着素子（８２）の奥側に形成され、第２吸着素子（８２）の冷却側通路（８６）に連通している。
【００５２】
第１上部流路（５３）は、第１吸着素子（８１）の上側に形成され、第１吸着素子（８１）の調湿側通路（８５）に連通している。第１下部流路（５４）は、第１吸着素子（８１）の下側に形成され、第１吸着素子（８１）の調湿側通路（８５）に連通している。第２上部流路（５５）は、第２吸着素子（８２）の上側に形成され、第２吸着素子（８２）の調湿側通路（８５）に連通している。第２下部流路（５６）は、第２吸着素子（８２）の下側に形成され、第２吸着素子（８２）の調湿側通路（８５）に連通している。
【００５３】
中央流路（５７）は、第１吸着素子（８１）と第２吸着素子（８２）の間に形成され、両吸着素子（８１，８２）の冷却側通路（８６）に連通している。この中央流路（５７）には、再生熱交換器（１０２）がほぼ垂直に立った状態で設置されている。この再生熱交換器（１０２）は、中央流路（５７）を流れる空気を冷媒回路の冷媒と熱交換させる。そして、再生熱交換器（１０２）は、凝縮器として機能し、空気を加熱するための加熱器を構成している。なお、再生熱交換器（１０２）は、ほぼ水平に寝かせた状態で設置してもよい。
【００５４】
中央流路（５７）と第１下部流路（５４）の間の仕切は、第１吸着素子（８１）の長手方向中央部の分割面に合わせて左右方向に２分割されていて、分割された仕切に１つずつ第１シャッタ（６１）が設けられている。一方、中央流路（５７）と第２下部流路（５６）の間の仕切りも、第２吸着素子（８２）の長手方向中央部の分割面に合わせて左右に分割されていて、分割された仕切に１つずつ第２シャッタ（６２）が設けられている。第１シャッタ（６１）と第２シャッタ（６２）は、いずれもが開閉自在なダンパとして各吸着素子（８１，８２）と一体に設けられていて、メンテナンス時には、それぞれの吸着素子（８１，８２）と共に一体に取り出し可能となっている。なお、第１シャッタ（６１）と第２シャッタ（６２）は、各吸着素子（８１，８２）と別体に設けてもよい。
【００５５】
右側仕切板（２０）は、手前側から奥側に向かって３分割されている。この３分割された右側仕切板（２０）のうち、最も手前側の部分には第１右側開口（２１）、第１右上開口（２３）及び第１右下開口（２４）が、最も奥側の部分には第２右側開口（２２）、第２右上開口（２５）及び第２右下開口（２６）がそれぞれ形成されている。これらの開口（２１，２２，…）には、それぞれダンパとしての開閉シャッタが開閉自在に各吸着素子（８１，８２）と一体に設けられていて、メンテナンス時には、分割された右側仕切板（２０）の一部及び吸着素子（８１，８２）と共に取り出し可能になっている。
【００５６】
第１右側開口（２１）は、右側仕切板（２０）における手前側の下部に設けられている。第１右側開口（２１）の開閉シャッタが開いた状態では、第１流路（５１）と右下部流路（６６）が互いに連通する。第２右側開口（２２）は、右側仕切板（２０）における奥側の下部に設けられている。第２右側開口（２２）の開閉シャッタが開いた状態では、第２流路（５２）と右下部流路（６６）が互いに連通する。
【００５７】
第１右上開口（２３）は、右側仕切板（２０）のうち第１吸着素子（８１）に隣接する部分の上部に設けられている。第１右上開口（２３）の開閉シャッタが開いた状態では、第１上部流路（５３）と右上部流路（６５）が互いに連通する。第１右下開口（２４）は、右側仕切板（２０）のうち第１吸着素子（８１）に隣接する部分の下部に設けられている。第１右下開口（２４）の開閉シャッタが開いた状態では、第１下部流路（５４）と右下部流路（６６）が互いに連通する。
【００５８】
第２右上開口（２５）は、右側仕切板（２０）のうち第２吸着素子（８２）に隣接する部分の上部に設けられている。第２右上開口（２５）の開閉シャッタが開いた状態では、第２上部流路（５５）と右上部流路（６５）が互いに連通する。第２右下開口（２６）は、右側仕切板（２０）のうち第２吸着素子（８２）に隣接する部分の下部に設けられている。第２右下開口（２６）の開閉シャッタが開いた状態では、第２下部流路（５６）と右下部流路（６６）が互いに連通する。
【００５９】
左側仕切板（３０）も、手前側から奥側に向かって３分割されている。この３分割された左側仕切板（３０）のうち、最も手前側の部分には第１左側開口（３１）、第１左上開口（３３）及び第１左下開口（３４）が、最も奥側の部分には第２左側開口（３２）、第２左上開口（３５）及び第２左下開口（３６）がそれぞれ形成されている。これらの開口（３１，３２，…）は、それぞれがダンパとしての開閉シャッタを備えて開閉自在に各吸着素子（８１，８２）と一体に設けられていて、メンテナンス時には、分割された左側仕切板（３０）の一部及び吸着素子（８１，８２）と共に取り出し可能になっている。
【００６０】
第１左側開口（３１）は、左側仕切板（３０）における手前側の下部に設けられている。第１左側開口（３１）の開閉シャッタが開いた状態では、第１流路（５１）と左下部流路（６８）が互いに連通する。第２左側開口（３２）は、左側仕切板（３０）における奥側の下部に設けられている。第２左側開口（３２）の開閉シャッタが開いた状態では、第２流路（５２）と左下部流路（６８）が互いに連通する。
【００６１】
第１左上開口（３３）は、左側仕切板（３０）のうち第１吸着素子（８１）に隣接する部分の上部に設けられている。第１左上開口（３３）の開閉シャッタが開いた状態では、第１上部流路（５３）と左上部流路（６７）が互いに連通する。第１左下開口（３４）は、左側仕切板（３０）のうち第１吸着素子（８１）に隣接する部分の下部に設けられている。第１左下開口（３４）の開閉シャッタが開いた状態では、第１下部流路（５４）と左下部流路（６８）が互いに連通する。
【００６２】
第２左上開口（３５）は、左側仕切板（３０）のうち第２吸着素子（８２）に隣接する部分の上部に設けられている。第２左上開口（３５）の開閉シャッタが開いた状態では、第２上部流路（５５）と左上部流路（６７）が互いに連通する。第２左下開口（３６）は、左側仕切板（３０）のうち第２吸着素子（８２）に隣接する部分の下部に設けられている。第２左下開口（３６）の開閉シャッタが開いた状態では、第２下部流路（５６）と左下部流路（６８）が互いに連通する。
【００６３】
図７に示すように、上記調湿装置は、第１吸込口（１３）及び第２吹出口（１６）が室外に連通して第２吸込口（１５）及び第１吹出口（１４）が室内に連通する状態で設置されている。
【００６４】
具体的に、この調湿装置は、第１吸込口（１３）及び第２吹出口（１６）側の第３パネル（１７）が室外側の壁面（Ｗ）の近傍に位置すると共に、第２吸込口（１５）及び第１吹出口（１４）側の第４パネル（１８）が室内側に位置する設置状態にある。このとき、第１パネル（１１）において、第１吹出口（１４）には室内側吹出用ダクト（１１４）が接続され、第２吹出口（１６）には室外側吹出用ダクト（１１６）が接続されている。一方、第２パネル（１２）の第１吸込口（１３）には室外側吸込用ダクト（１１３）が接続され、第２吸込口（１５）には室内側吸込用ダクト（１１５）が接続されている。なお、これらのダクト（１１３，１１４，…）は点検時に取り外しができるように板金製のものではなく、蛇腹状のフレキシブルなものにするのが望ましい。
【００６５】
−運転動作−
上記調湿装置では、除湿運転と加湿運転とが切り換えて行われる。また、除湿運転中や加湿運転中において、調湿装置では、第１動作と第２動作とが交互に繰り返される。
【００６６】
《除湿運転》
図１，図２に示すように、除湿運転時において、第１吹出ファン（９５）を駆動すると、室外空気（ＯＡ）が第１吸込口（１３）を通じてケーシング（１０）内に取り込まれる。この室外空気は、第１被処理空気として吸込側右側流路（４５）へ流入する。一方、第２吹出ファン（９６）を駆動すると、室内空気（ＲＡ）が第２吸込口（１５）を通じてケーシング（１０）内に取り込まれる。この室内空気は、第２空気として吸込側左側流路（４７）へ流入する。
【００６７】
また、除湿運転時において、冷媒回路では、再生熱交換器（１０２）が凝縮器となり、第１熱交換器（１０３）が蒸発器となる一方、第２熱交換器（１０４）が休止している。
【００６８】
除湿運転の第１動作について、図１，図５を参照しながら説明する。この第１動作では、第１吸着素子（８１）についての吸着動作と、第２吸着素子（８２）についての再生動作とが行われる。つまり、第１動作では、第１吸着素子（８１）で空気が減湿されると同時に、第２吸着素子（８２）の吸着材が再生される。
【００６９】
図１に示すように、右側仕切板（２０）では、第１右下開口（２４）と第２右上開口（２５）とが連通状態となり、残りの開口（２１，２２，２３，２６）が遮断状態となる。左側仕切板（３０）では、第１左側開口（３１）と第１左上開口（３３）とが連通状態となり、残りの開口（３２，３４，３５，３６）が遮断状態となる。また、第１シャッタ（６１）は閉鎖状態となり、第２シャッタ（６２）は開口状態となっている。
【００７０】
第１被処理空気は、吸込側右側流路（４５）から右下部流路（６６）へ流入し、その後に第１右下開口（２４）を通って第１下部流路（５４）へ流入する。一方、第２空気は、吸込側左側流路（４７）から左下部流路（６８）へ流入し、その後に第１左側開口（３１）を通って第１流路（５１）へ流入する。
【００７１】
図５（ａ）にも示すように、第１下部流路（５４）の第１被処理空気は、第１吸着素子（８１）の調湿側通路（８５）へ流入する。この調湿側通路（８５）を流れる間に、第１被処理空気に含まれる水蒸気が吸着材に吸着される。第１吸着素子（８１）で減湿された第１被処理空気は、第１上部流路（５３）へ流入する。
【００７２】
一方、第１流路（５１）の第２被処理空気は、第１吸着素子（８１）の冷却側通路（８６）へ流入する。この冷却側通路（８６）を流れる間に、第２被処理空気は、調湿側通路（８５）で水蒸気が吸着材に吸着される際に生じた吸着熱を吸熱する。吸着熱を奪った第２被処理空気は、中央流路（５７）へ流入して再生熱交換器（１０２）を通過する。その際、再生熱交換器（１０２）では、第２被処理空気が冷媒との熱交換によって加熱される。その後、第２被処理空気は、中央流路（５７）から第２下部流路（５６）へ流入する。
【００７３】
第１吸着素子（８１）及び再生熱交換器（１０２）で加熱された第２被処理空気は、第２吸着素子（８２）の調湿側通路（８５）へ導入される。この調湿側通路（８５）では、第２被処理空気によって吸着材が加熱され、吸着材から水蒸気が脱離する。つまり、第２吸着素子（８２）の再生が行われる。吸着材から脱離した水蒸気は、第２被処理空気と共に第２上部流路（５５）へ流入する。
【００７４】
図１に示すように、第１上部流路（５３）へ流入した減湿後の第１被処理空気は、第１左上開口（３３）を通って左上部流路（６７）へ流入し、その後に第１吹出側流路（４２）へ流入する。この第１被処理空気は、第１吹出側流路（４２）を流れる間に第１熱交換器（１０３）を通過し、冷媒との熱交換によって冷却される。その後、減湿されて冷却された第１被処理空気は、第１吹出口（１４）に接続された室内側吹出用ダクト（１１４）を通って室内へ供給される。
【００７５】
一方、第２上部流路（５５）へ流入した第２被処理空気は、第２右上開口（２５）を通って右上部流路（６５）へ流入し、その後に第２吹出側流路（４１）へ流入する。この第２被処理空気は、第２吹出側流路（４１）を流れる間に第２熱交換器（１０４）を通過する。その際、第２熱交換器（１０４）は休止しており、第２被処理空気は加熱も冷却もされない。そして、第１吸着素子（８１）の冷却と第２吸着素子（８２）の再生に利用された第２被処理空気は、第２吹出口（１６）に接続された室外側吹出用ダクト（１１６）を通って室外へ排出される。
【００７６】
除湿運転の第２動作について、図２，図５を参照しながら説明する。この第２動作では、第１動作時とは逆に、第２吸着素子（８２）についての吸着動作と、第１吸着素子（８１）についての再生動作とが行われる。つまり、第２動作では、第２吸着素子（８２）で空気が減湿されると同時に、第１吸着素子（８１）の吸着材が再生される。
【００７７】
図２に示すように、右側仕切板（２０）では、第１右上開口（２３）と第２右下開口（２６）とが連通状態となり、残りの開口（２１，２２，２４，２５）が遮断状態となる。左側仕切板（３０）では、第２左側開口（３２）と第２左上開口（３５）とが連通状態となり、残りの開口（３１，３３，３４，３６）が遮断状態となる。また、第２シャッタ（６２）は閉鎖状態となり、第１シャッタ（６１）は開口状態となっている。
【００７８】
第１被処理空気は、吸込側右側流路（４５）から右下部流路（６６）へ流入し、その後に第２右下開口（２６）を通って第２下部流路（５６）へ流入する。一方、第２被処理空気は、吸込側左側流路（４７）から左下部流路（６８）へ流入し、その後に第２左側開口（３２）を通って第２流路（５２）へ流入する。
【００７９】
図５（ｂ）にも示すように、第２下部流路（５６）の第１被処理空気は、第２吸着素子（８２）の調湿側通路（８５）へ流入する。この調湿側通路（８５）を流れる間に、第１被処理空気に含まれる水蒸気が吸着材に吸着される。第２吸着素子（８２）で減湿された第１被処理空気は、第２上部流路（５５）へ流入する。
【００８０】
一方、第２流路（５２）の第２被処理空気は、第２吸着素子（８２）の冷却側通路（８６）へ流入する。この冷却側通路（８６）を流れる間に、第２被処理空気は、調湿側通路（８５）で水蒸気が吸着材に吸着される際に生じた吸着熱を吸熱する。吸着熱を奪った第２被処理空気は、中央流路（５７）へ流入して再生熱交換器（１０２）を通過する。その際、再生熱交換器（１０２）では、第２被処理空気が冷媒との熱交換によって加熱される。その後、第２被処理空気は、中央流路（５７）から第１下部流路（５４）へ流入する。
【００８１】
第２吸着素子（８２）及び再生熱交換器（１０２）で加熱された第２被処理空気は、第１吸着素子（８１）の調湿側通路（８５）へ導入される。この調湿側通路（８５）では、第２被処理空気によって吸着材が加熱され、吸着材から水蒸気が脱離する。つまり、第１吸着素子（８１）の再生が行われる。吸着材から脱離した水蒸気は、第２被処理空気と共に第１上部流路（５３）へ流入する。
【００８２】
図２に示すように、第２上部流路（５５）へ流入した減湿後の第１被処理空気は、第２左上開口（３５）を通って左上部流路（６７）へ流入し、その後に第１吹出側流路（４２）へ流入する。この第１被処理空気は、第１吹出側流路（４２）を流れる間に第１熱交換器（１０３）を通過し、冷媒との熱交換によって冷却される。その後、減湿されて冷却された第１被処理空気は、第１吹出口（１４）に接続された室内側吹出用ダクト（１１４）を通って室内へ供給される。
【００８３】
一方、第１上部流路（５３）へ流入した第２被処理空気は、第１右上開口（２３）を通って右上部流路（６５）へ流入し、その後に第２吹出側流路（４１）へ流入する。この第２被処理空気は、第２吹出側流路（４１）を流れる間に第２熱交換器（１０４）を通過する。その際、第２熱交換器（１０４）は休止しており、第２被処理空気は加熱も冷却もされない。そして、第１吸着素子（８１）の冷却と第２吸着素子（８２）の再生に利用された第２被処理空気は、第２吹出口（１６）に接続された室外側吹出用ダクト（１１６）を通って室外へ排出される。
【００８４】
《加湿運転》
図３，図４に示すように、加湿運転時において、第１吹出ファン（９５）を駆動すると、室外空気（ＯＡ）が第１吸込口（１３）を通じてケーシング（１０）内に取り込まれる。この室外空気は、第２被処理空気として吸込側右側流路（４５）へ流入する。一方、第２吹出ファン（９６）を駆動すると、室内空気（ＲＡ）が第２吸込口（１５）を通じてケーシング（１０）内に取り込まれる。この室内空気は、第１被処理空気として吸込側左側流路（４７）へ流入する。
【００８５】
また、加湿運転時において、冷媒回路では、再生熱交換器（１０２）が凝縮器となり、第２熱交換器（１０４）が蒸発器となる一方、第１熱交換器（１０３）が休止している。
【００８６】
加湿運転の第１動作について、図３，図５を参照しながら説明する。この第１動作では、第１吸着素子（８１）についての吸着動作と、第２吸着素子（８２）についての再生動作とが行われる。つまり、第１動作では、第２吸着素子（８２）で空気が加湿され、第１吸着素子（８１）の吸着材が水蒸気を吸着する。
【００８７】
図３に示すように、右側仕切板（２０）では、第１右側開口（２１）と第１右上開口（２３）とが連通状態となり、残りの開口（２２，２４，２５，２６）が遮断状態となる。左側仕切板（３０）では、第１左下開口（３４）と第２左上開口（３５）とが連通状態となり、残りの開口（３１，３２，３３，３６）が遮断状態となる。また、第１シャッタ（６１）は閉鎖状態となり、第２シャッタ（６２）は開口状態となっている。
【００８８】
第１被処理空気は、吸込側左側流路（４７）から左下部流路（６８）へ流入し、その後に第１左下開口（３４）を通って第１下部流路（５４）へ流入する。一方、第２被処理空気は、吸込側右側流路（４５）から右下部流路（６６）へ流入し、その後に第１右側開口（２１）を通って第１流路（５１）へ流入する。
【００８９】
図５（ａ）にも示すように、第１下部流路（５４）の第１被処理空気は、第１吸着素子（８１）の調湿側通路（８５）へ流入する。この調湿側通路（８５）を流れる間に、第１被処理空気に含まれる水蒸気が吸着材に吸着される。第１吸着素子（８１）で水分を奪われた第１被処理空気は、第１上部流路（５３）へ流入する。
【００９０】
一方、第１流路（５１）の第２被処理空気は、第１吸着素子（８１）の冷却側通路（８６）へ流入する。この冷却側通路（８６）を流れる間に、第２被処理空気は、調湿側通路（８５）で水蒸気が吸着材に吸着される際に生じた吸着熱を吸熱する。吸着熱を奪った第２被処理空気は、中央流路（５７）へ流入して再生熱交換器（１０２）を通過する。その際、再生熱交換器（１０２）では、第２被処理空気が冷媒との熱交換によって加熱される。その後、第２被処理空気は、中央流路（５７）から第２下部流路（５６）へ流入する。
【００９１】
第１吸着素子（８１）及び再生熱交換器（１０２）で加熱された第２被処理空気は、第２吸着素子（８２）の調湿側通路（８５）へ導入される。この調湿側通路（８５）では、第２被処理空気によって吸着材が加熱され、吸着材から水蒸気が脱離する。つまり、第２吸着素子（８２）の再生が行われる。そして、吸着材から脱離した水蒸気が第２被処理空気に付与され、第２被処理空気が加湿される。第２吸着素子（８２）で加湿された第２被処理空気は、その後に第２上部流路（５５）へ流入する。
【００９２】
図３に示すように、第２上部流路（５５）へ流入した第２被処理空気は、第２左上開口（３５）を通って左上部流路（６７）へ流入し、その後に第１吹出側流路（４２）へ流入する。この第２被処理空気は、第１吹出側流路（４２）を流れる間に第１熱交換器（１０３）を通過する。その際、第１熱交換器（１０３）は休止しており、第２被処理空気は加熱も冷却もされない。そして、加湿された第２被処理空気は、第１吹出口（１４）に接続された室内側吹出用ダクト（１１４）を通って室内へ供給される。
【００９３】
一方、第１上部流路（５３）へ流入した第１被処理空気は、第１右上開口（２３）を通って右上部流路（６５）へ流入し、その後に第２吹出側流路（４１）へ流入する。この第１被処理空気は、第２吹出側流路（４１）を流れる間に第２熱交換器（１０４）を通過し、冷媒との熱交換によって冷却される。その後、水分と熱を奪われた第１被処理空気は、第２吹出口（１６）に接続された室外側吹出用ダクト（１１６）を通って室外へ排出される。
【００９４】
加湿運転の第２動作について、図４，図５を参照しながら説明する。この第２動作では、第１動作時とは逆に、第２吸着素子（８２）についての吸着動作と、第１吸着素子（８１）についての再生動作とが行われる。つまり、この第２動作では、第１吸着素子（８１）で空気が加湿され、第２吸着素子（８２）の吸着材が水蒸気を吸着する。
【００９５】
図４に示すように、右側仕切板（２０）では、第２右側開口（２２）と第２右上開口（２５）とが連通状態となり、残りの開口（２１，２３，２４，２６）が遮断状態となる。左側仕切板（３０）では、第１左上開口（３３）と第２左下開口（３６）とが連通状態となり、残りの開口（３１，３２，３４，３５）が遮断状態となる。また、第２シャッタ（６２）は閉鎖状態となり、第１シャッタ（６１）は開口状態となる。
【００９６】
第１被処理空気は、吸込側左側流路（４７）から左下部流路（６８）へ流入し、その後に第２左下開口（３６）を通って第２下部流路（５６）へ流入する。一方、第２被処理空気は、吸込側右側流路（４５）から右下部流路（６６）へ流入し、その後に第２右側開口（２２）を通って第２流路（５２）へ流入する。
【００９７】
図５（ｂ）にも示すように、第２下部流路（５６）の第１被処理空気は、第２吸着素子（８２）の調湿側通路（８５）へ流入する。この調湿側通路（８５）を流れる間に、第１被処理空気に含まれる水蒸気が吸着材に吸着される。第２吸着素子（８２）で水分を奪われた第１被処理空気は、第２上部流路（５５）へ流入する。
【００９８】
一方、第２流路（５２）の第２被処理空気は、第２吸着素子（８２）の冷却側通路（８６）へ流入する。この冷却側通路（８６）を流れる間に、第２被処理空気は、調湿側通路（８５）で水蒸気が吸着材に吸着される際に生じた吸着熱を吸熱する。吸着熱を奪った第２被処理空気は、中央流路（５７）へ流入して再生熱交換器（１０２）を通過する。その際、再生熱交換器（１０２）では、第２被処理空気が冷媒との熱交換によって加熱される。その後、第２被処理空気は、中央流路（５７）から第１下部流路（５４）へ流入する。
【００９９】
第２吸着素子（８２）及び再生熱交換器（１０２）で加熱された第２被処理空気は、第１吸着素子（８１）の調湿側通路（８５）へ導入される。この調湿側通路（８５）では、第２被処理空気によって吸着材が加熱され、吸着材から水蒸気が脱離する。つまり、第１吸着素子（８１）の再生が行われる。そして、吸着材から脱離した水蒸気が第２被処理空気に付与され、第２被処理空気が加湿される。第１吸着素子（８１）で加湿された第２被処理空気は、その後に第１上部流路（５３）へ流入する。
【０１００】
図４に示すように、第１上部流路（５３）へ流入した第２被処理空気は、第１左上開口（３３）を通って左上部流路（６７）へ流入し、その後に第１吹出側流路（４２）へ流入する。この第２被処理空気は、第１吹出側流路（４２）を流れる間に第１熱交換器（１０３）を通過する。その際、第１熱交換器（１０３）は休止しており、第２被処理空気は加熱も冷却もされない。そして、加湿された第２被処理空気は、第１吹出口（１４）に接続された室内側吹出用ダクト（１１４）を通って室内へ供給される。
【０１０１】
一方、第２上部流路（５５）へ流入した第１被処理空気は、第２右上開口（２５）を通って右上部流路（６５）へ流入し、その後に第２吹出側流路（４１）へ流入する。この第１被処理空気は、第２吹出側流路（４１）を流れる間に第２熱交換器（１０４）を通過し、冷媒との熱交換によって冷却される。その後、水分と熱を奪われた第１被処理空気は、第２吹出口（１６）に接続された室外側吹出用ダクト（１１６）を通って室外へ排出される。
【０１０２】
−メンテナンス−
次に、本実施形態の調湿装置のメンテナンス方法について説明する。図８に示すように、調湿装置のメンテナンスを行う際に、ファン（９５，９６）や圧縮機（１０１）を取り出すには、作業員は第１点検用マンホール（Ｈ１）を開ける。このことにより調湿装置の第１パネル（１１）側での作業が可能となる。
【０１０３】
そして、図８，図９に示すように、ケーシング（１０）から第１ファン点検用蓋（１２１）を取り外すと、図８に矢印で示すように、第１ファン点検用蓋（１２１）に取り付けられた第１吹出ファン（９５）がケーシング（１０）外に取り出される。また、ケーシング（１０）から第２ファン点検用蓋（１２３）を取り外すと、第２ファン点検用蓋（１２３）に取り付けられた第２吹出ファン（９６）がケーシング（１０）外に取り出される。さらに、圧縮機点検用蓋（１２２）を開くと、手前側に遮るものがないので、圧縮機（１０１）がケーシング（１０）の開口から取り出される。また、圧縮機（１０１）のみを点検するのであれば、ダクト（１１４，１１６）を外すことなく、圧縮機点検用蓋（１２２）のみを開ければよい。
【０１０４】
一方、第１及び２吸着素子（８１，８２）を取り出すときには、作業員は第２点検用マンホール（Ｈ２）を開ける。このことにより調湿装置の第４パネル（１８）側での作業が可能となる。第１吸着素子（８１）を取り出すには、第４パネル（１８）の第１素子点検用蓋（１３１）を取り外す。まず中央部で分割された第１吸着素子（８１）の左側（第４パネル（１８）側）部分を左側に引き出して取り出す。その際には、第１吸着素子（８１）の左側部分に一体に取り付けられた各開口（３１，３３，３４）の開閉シャッタと第１シャッタ（６１）も共にケーシング（１０）から取り出される。次に第１吸着素子（８１）の右側（第３パネル（１７）側）部分を左側に引き出して取り出す。その際には、第１吸着素子（８１）の右側部分と一体に取り付けられた各開口（２１，２３，２４）の開閉シャッタと第１シャッタ（６１）も共にケーシング（１０）から取り出される。
【０１０５】
第２吸着素子（８２）を取り出すには、第４パネル（１８）の第２素子点検用蓋（１３２）を取り外す。まず中央部で分割された左側部分を左側に引き出して取り出す。その際には、第２吸着素子（８２）の左側部分と一体に取り付けられた各開口（３２，３５，３６）の開閉シャッタと第２シャッタ（６２）も共にケーシング（１０）から取り出される。次に第２吸着素子（８２）の右側部分を右側に引き出して取り出す。その際には、第２吸着素子（８２）の右側部分一体に取り付けられた各開口（２２，２５，２６）の開閉シャッタと第２シャッタ（６２）と共にケーシング（１０）から取り出される。なお、この場合、第１吸着素子（８１）と第２吸着素子（８２）をそれぞれ一度に取り出せるようにしてもよい。
【０１０６】
また、左側上下仕切板（３８）は、第１及び第２吸着素子（８１，８２）に対応するように手前側と奥側とで分割されていて、その分割された手前側の部分を第１吸着素子（８１）と共に、又は第１吸着素子（８１）と別々に左側に引き出して第１吸着素子（８１）をケーシング（１０）外に取り出せばよい。同様にその分割された左側上下仕切板（３８）の奥側の部分を第２吸着素子（８２）と共に、又は第２吸着素子（８２）と別々に左側に引き出して第２吸着素子（８２）をケーシング（１０）外に取り出せばよい。
【０１０７】
−実施形態１の効果−
本実施形態では、扁平な直方体状のケーシング（１０）の内部に、その側壁部の１つである第１パネル（１１）に沿って第１及び第２吹出ファン（９５，９６）を並べている。このため、ファン（９５，９６）をメンテナンスするときには、この第１パネル（１１）から一度に両方のファン（９５，９６）に対する作業が可能となる。よって、メンテナンス時の作業性が向上される。また、ファン（９５，９６）の配置がシンプルになるので、ケーシング（１０）内のスペースが有効に利用されて調湿装置全体のサイズが小さくなり、設置自由度を大きくすることができる。また、ファン（９５，９６）を収容する空間をケーシング（１０）の高さ方向に２分割する必要がなくなり、構造が簡単になると共に、ファン（９５，９６）を配置しやすくなる。さらに、第１及び第２熱交換器（１０３，１０４）としては、ケーシング（１０）の高さとほぼ同じ高さの熱交換器を採用することができるので、第１及び第２熱交換器（１０３，１０４）での熱交換量を充分に確保することができ、冷媒回路で行われる冷凍サイクルの熱効率を向上させることができる。
【０１０８】
また、本実施形態では、ケーシング（１０）の第１パネル（１１）に、第１及び第２吹出ファン（９５，９６）を該ケーシング（１０）から取り出し可能とするためファン点検用蓋（１２１，１２３）を設けている。このため、ケーシング（１０）の一側に設けられたファン点検用蓋（１２１，１２３）を開くだけで、２つの吹出ファン（９５，９６）を両方ともケーシング（１０）から取り出すことができる。
【０１０９】
また、本実施形態では、第１吹出ファン（９５）と第２吹出ファン（９６）をファン点検用蓋（１２１，１２３）の内側面に取り付けている。このため、ファン点検用蓋（１２１，１２３）を開けると、その内側面に設けられたファン（９５，９６）が同時に引き出されることとなり、ファン（９５，９６）をメンテナンスをする際の作業工数を削減できる。
【０１１０】
また、本実施形態では、直方体状の第１吸着素子（８１）と第２吸着素子（８２）をそれぞれの長手方向を第１パネル（１１）の長手方向に沿う姿勢で互いに平行に並べてケーシング（１０）内に配置すると共に、第４パネル（１８）に素子点検用蓋（１３１，１３２）を設けている。このため、第１及び第２吸着素子（８１，８２）をそれぞれの長手方向に沿ってスライドさせるだけで、これら吸着素子（８１，８２）を取り出すことができる。よって、加熱器（１０２）を移動させずに吸着素子（８１，８２）をケーシング（１０）から取り出すことができ、吸着素子（８１，８２）のメンテナンスの作業性を向上させることができる。
【０１１１】
また、本実施形態では、各熱交換器（１０３，１０４）は、吹出側をケーシング（１０）の吹出口（１４，１６）に接続したファン（９５，９６）の上流側に設けられている。つまり、ファン点検用蓋（１２１，１２３）を開ければ熱交換器（１０３，１０４）に遮られることなくファン（９５，９６）に手が届く状態となっている。このため、各熱交換器（１０３，１０４）を取り外すことなく、ファン点検用蓋（１２１，１２３）を開ければファン（９５，９６）のメンテナンスが行える。
【０１１２】
（実施形態２）
本発明の実施形態２は、上記実施形態１の調湿装置で２つの運転制御を切換可能とし、２通りの設置状態で調湿装置を設置できるようにしたものである。
【０１１３】
本実施形態２の調湿装置は、２つの運転制御が切換可能な点のみが上記実施形態１のものと相違しており、その構造自体は実施形態１のものと同様である。
【０１１４】
本実施形態の調湿装置は、第１吸込口（１３）及び第２吹出口（１６）が室外に連通して第２吸込口（１５）及び第１吹出口（１４）が室内に連通する第１の設置状態と、第１吸込口（１３）及び第２吹出口（１６）が室内に連通して上記第２吸込口（１５）及び第１吹出口（１４）が室外に連通する第２の設置状態との両方で設置することができる。なお、上記２つの運転制御は、１つのスイッチで切換可能となっている。すなわち、上記第１の設置状態又は第２の設置状態に合わせてスイッチを操作していずれかの運転制御を選択すればよい。
【０１１５】
上記第１の設置状態については、実施形態１における調湿装置の設置状態（図７参照）と同じであるため、説明を省略する。
【０１１６】
第２の設置状態では、図１０に示すように、第２吸込口（１５）及び第１吹出口（１４）側のケーシング（１０）の第４パネル（１８）が室外側の壁面（Ｗ）の近傍に位置すると共に、第１吸込口（１３）及び第２吹出口（１６）側の第３パネル（１７）が室内側に位置する状態で調湿装置が設置される。このとき、第１パネル（１１）において、第１吹出口（１４）には室外側吹出用ダクト（１１６）が接続され、第２吹出口（１６）には室内側吹出用ダクト（１１４）が接続されている。一方、第２パネル（１２）の第１吸込口（１３）には室内側吸込用ダクト（１１５）が接続され、第２吸込口（１５）には室外側吸込用ダクト（１１３）が接続されている。
【０１１７】
−運転動作−
上記第１の設置状態で調湿装置が設置された場合、この調湿装置では第１の運転制御が行われる。第１の運転制御における除湿運転中及び加湿運転中の動作は、上記実施形態１の調湿装置における動作と全く同じである。
【０１１８】
上記第２の設置状態で調湿装置が設置された場合、この調湿装置では第２の運転制御が行われる。以下に、第２の運転制御における除湿運転中及び加湿運転中の動作ついて説明する。
【０１１９】
図１１に示すように、第２の運転制御における除湿運転の第１動作では、各開口（２１，２２，…）の開閉シャッタが、第１の運転制御における加湿運転の第１動作と同じ状態に設定され、第２熱交換器（１０４）が蒸発器として機能する。第２の運転制御における除湿運転の第１動作は、室内空気（ＲＡ）が第２被処理空気として第１吸込口（１３）から取り込まれて室外空気（ＯＡ）が第１被処理空気として第２吸込口（１５）から取り込まれる点を除き、第１の運転制御における加湿運転の第１動作と同じである。つまり、第１吸込口（１３）から第２被処理空気として取り込まれた室内空気は、第１吸着素子（８１）の冷却と第２吸着素子（８２）の再生に利用され、その後に、第１吹出口（１４）に接続された室外側吹出用ダクト（１１６）を通って室外へ排出される。また、第２吸込口（１５）から第１被処理空気として取り込まれた室外空気は、第１吸着素子（８１）で除湿された後に第２吹出口（１６）に接続された室内側吹出用ダクト（１１４）を通って室内へ供給される。
【０１２０】
以下については図示しないが、２の運転制御における除湿運転の第２動作では、各開口（２１，２２，…）の開閉シャッタが、第１の運転制御における加湿運転の第２動作と同じ状態に設定され、第２熱交換器（１０４）が蒸発器として機能する。第２の運転制御における除湿運転の第２動作は、室内空気（ＲＡ）が第２被処理空気として第１吸込口（１３）から取り込まれて室外空気（ＯＡ）が第１被処理空気として第２吸込口（１５）から取り込まれる点を除き、第１の運転制御における加湿運転の第２動作と同じである。つまり、第１吸込口（１３）から取り込まれた室内空気は、第２吸着素子（８２）の冷却と第１吸着素子（８１）の再生に利用され、その後に、第１吹出口（１４）に接続された室外側吹出用ダクト（１１６）を通って室外へ排出される。また、第２吸込口（１５）から第１被処理空気として取り込まれた室外空気は、第２吸着素子（８２）で除湿された後に第２吹出口（１６）に接続された室内側吹出用ダクト（１１４）を通って室内へ供給される。
【０１２１】
第２の運転制御における加湿運転の第１動作では、各開口（２１，２２，…）の開閉シャッタが、第１の運転制御における除湿運転の第１動作と同じ状態に設定され、第１熱交換器（１０３）が蒸発器として機能する。第２の運転制御における加湿運転の第１動作は、室内空気（ＲＡ）が第１被処理空気として第１吸込口（１３）から取り込まれて室外空気（ＯＡ）が第２被処理空気として第２吸込口（１５）から取り込まれる点を除き、第１の運転制御における除湿運転の第１動作と同じである。つまり、第２吸込口（１５）から第２被処理空気として取り込まれた室外空気は、第１吸着素子（８１）の冷却と第２吸着素子（８２）の再生に利用され、その後に、第２吹出口（１６）に接続された室内側吹出用ダクト（１１４）を通って室内へ供給される。また、第１吸込口（１３）から第１被処理空気として取り込まれた室外空気は、第１吸着素子（８１）で除湿された後に第１吹出口（１４）に接続された室外側吹出用ダクト（１１６）を通って室外へ排出される。
【０１２２】
２の運転制御における加湿運転の第２動作では、各開口（２１，２２，…）の開閉シャッタが、第１の運転制御における除湿運転の第２動作と同じ状態に設定され、第２熱交換器（１０４）が蒸発器として機能する。第２の運転制御における除湿運転の第２動作は、室内空気（ＲＡ）が第１被処理空気として第１吸込口（１３）から取り込まれて室外空気（ＯＡ）が第２被処理空気として第２吸込口（１５）から取り込まれる点を除き、第１の運転制御における除湿運転の第２動作と同じである。つまり、第２吸込口（１５）から第２被処理空気として取り込まれた室外空気は、第２吸着素子（８２）の冷却と第１吸着素子（８１）の再生に利用され、その後に、第１吹出口（１４）に接続された室外側吹出用ダクト（１１６）を通って室外へ排出される。また、第１吸込口（１３）から第１被処理空気として取り込まれた室外空気は、第２吸着素子（８２）で除湿された後に第２吹出口（１６）に接続された室内側吹出用ダクト（１１４）を通って室内へ供給される。
【０１２３】
−実施形態２の効果−
上述のように、本実施形態では、２つの運転制御を切り換えることにより、調湿装置を２通りの設置状態に設置することが可能となっている。
【０１２４】
ここで、上記実施形態１の調湿装置のように、第１吸込口（１３）及び第２吹出口（１６）が室外に連通して第２吸込口（１５）及び第１吹出口（１４）が室内に連通する設置状態でしか設置できない場合には、調湿装置の据え付け作業が煩雑化するという問題があった。
【０１２５】
つまり、図１２に示すように、実施形態１の調湿装置をその第４パネル（１８）が壁面（Ｗ）に沿う状態で設置する場合には、壁面（Ｗ）に開口して室外に連通するダクト（１１３，１１６）を、壁面（Ｗ）から遠い側に位置する第１吸込口（１３）及び第２吹出口（１６）に接続しなければならない。また、第１吸込口（１３）及び第２吹出口（１６）よりも壁面（Ｗ）寄りに位置する第１吹出口（１４）及び第２吸込口（１５）に接続されるダクト（１１４，１１５）は、第１吸込口（１３）及び第２吹出口（１６）に接続するダクト（１１３，１１６）と交差するように配置せざるを得なくなる。このため、第１吸込口（１３）等に接続するダクト（１１３，１１４，…）の取り回しが複雑となり、調湿装置の据え付け作業が煩雑になるおそれがあった。
【０１２６】
これに対し、本実施形態の調湿装置は、その第４パネル（１８）が壁面（Ｗ）に沿う状態で設置された場合であっても、その運転制御を第２の運転制御に設定することで、図１０に示すような、ダクト（１１３，１１４，…）の取り回しを採用することができる。
【０１２７】
つまり、壁面（Ｗ）に開口して室外に連通するダクト（１１３，１１６）を、壁面（Ｗ）に近い側の第２吸込口（１５）及び第１吹出口（１４）に接続すると共に、室内に連通するダクト（１１４，１１５）を壁面（Ｗ）から遠い側の第１吸込口（１３）及び第２吹出口（１６）に接続し、ダクト（１１３，１１４，…）を互いに交差しない状態で設置することができる。しかも、本実施形態の調湿装置によれば、その構造自体はなんら変更せずに運転制御を切り換えるだけで、２通りの設置状態に対応可能である。したがって、本実施形態によれば、調湿装置を据え付ける際の設置自由度を大幅に高めることができる。
【０１２８】
（その他の実施形態）
上記実施形態１及び２では、第４パネル（１８）にのみ第１素子点検用蓋（１３１）と第２素子点検用蓋（１３２）を設けているが、第３パネル（１７）にも同様に第１素子点検用蓋（１３１）と第２素子点検用蓋（１３２）を設けてもよい。そうすることで、本変形例の調湿装置では、第３パネル（１７）と第４パネル（１８）のどちらからでも第１，第２吸着素子（８１，８２）が取り出し可能となる。
【０１２９】
上記実施形態１及び２では、第２吹出側流路（４１）と第１吹出側流路（４２）に挟まれた収容空間（９０）に冷媒回路の圧縮機（１０１）を設置しているが、第２吹出側流路（４１）側の仕切板を無くして第２吹出側流路（４１）に圧縮機（１０１）を設置してもよい。また、これとは逆に、第１吹出側流路（４２）側の仕切板を無くして第１吹出側流路（４２）に圧縮機（１０１）を設置してもよい。このことで、仕切板が減って構造が簡単になる。
【０１３０】
また、上記実施形態１及び２では、第１パネル（１１）に、第１ファン点検用蓋（１２１）と圧縮機点検用蓋（１２２）と第２ファン点検用蓋（１２３）とを設けているが、大きなファン点検用蓋を１つだけ第１パネル（１１）に設け、１つのファン点検用蓋を開けば２つのファン（９５，９６）と圧縮機（１０１）が全て取り出し可能となるようにしてもよい。また、互いに大きさの異なるファン点検用蓋を１つずつ第１パネル（１１）に設けてもよい。例えば、第１ファン（９５）側に大きなファン点検用蓋を設け、それを取り外すことで第１ファン（９５）と圧縮機（１０１）を取り出し可能とする一方、第２ファン（９６）側に小さなファン点検用蓋を設け、それを取り外すことによって第２ファン（９６）を取り出し可能としてもよい。
【０１３１】
そうすることで、本変形例の調湿装置では、冷媒回路の圧縮機（１０１）をケーシング（１０）内における第１吹出ファン（９５）又は第２吹出ファン（９６）の近傍に配置し、ファン点検用蓋（１２１，１２３）を開いた状態でケーシング（１０）から取り出し可能としている。このため、ファン点検用蓋（１２１，１２３）を開いた状態でケーシング（１０）から圧縮機（１０１）を容易に取り出すことができ、圧縮機（１０１）が万一故障した場合でも、その修理作業や交換作業を確実に行うことができる。なお、圧縮機（１０１）はケーシング（１０）の外に設けてもよい。
【０１３２】
また、上記実施形態１及び２では、図１３に示すように、第１吹出ファン（９５）を、その吹出側を第１吹出口（１４）に接続させるように第４パネル（１８）の手前側の内側面に取り付け、第２吹出ファン（９６）を、その吹出側を第２吹出口（１６）に接続させるように第３パネル（１７）の手前側の内側面に取り付けてもよい。こうすることで、第２パネル（１２）及び第３パネル（１７）で形成されるコーナー部が屋内の壁面（Ｗ）のコーナー部に沿う状態で調湿装置を設置した際には、まっすぐなダクトで第１吸込口（１３）及び第２吹出口（１６）を室外と連通させることができ、ダクトを通過する際の空気の圧力損失を少なくすることができる。
【０１３３】
また、上記実施形態１及び２では、図１４に示すように、吸込側右側流路（４５）及び吸込側左側流路（４７）を設けずに、第４パネル（１８）の奥側下部に第２吸込口（１５）を形成し、第３パネル（１７）の奥側下部に第１吸込口（１３）を形成してもよい。こうすることでも、第２パネル（１２）及び第３パネル（１７）で形成されるコーナー部が屋内の壁面（Ｗ）のコーナー部に沿う状態で調湿装置を設置した際には、まっすぐなダクトで第１吸込口（１３）を室外と連通させると共に、第２吸込口（１５）を室内と連通させることができ、ダクトを通過する際の空気の圧力損失を少なくすることができる。
【０１３４】
また、上記実施形態１及び２では、図１５に示すように、第２吸込口（１５）を調湿装置の下側パネル（１９）に設けてもよい。このときには、調湿装置の下側パネル（１９）が天井面（Ｒ）の開口から室内に露出するように調湿装置を配置すればよい。このことで、第２吸込口（１５）に接続される室内側吸込用ダクト（１１５）を省くことができて天井裏のスペースが有効に利用できる。また、調湿装置内での圧力損失やダクト（１１５）内での圧力損失が低減され、ファン（９５，９６）の消費電力を削減できる。さらに、調湿装置の下側パネル（１９）からメンテナンスが容易に行える。
【０１３５】
【発明の効果】
以上説明したように、請求項１の発明の調湿装置では、扁平な直方体状のケーシング（１０）の内部に、その側壁部の１つであるファン側側壁部（１１）に沿って第１及び第２のファン（９５，９６）を並べている。このため、ファン（９５，９６）をメンテナンスするときには、このファン側側壁部（１１）から一度に両方のファン（９５，９６）に対する作業が可能となる。よって、メンテナンス時の作業性が向上される。また、ファン（９５，９６）の配置がシンプルになるので、ケーシング（１０）内のスペースが有効に利用されて調湿装置全体のサイズが小さくなり、設置自由度を大きくすることができる。
【０１３６】
請求項２の発明では、ケーシング（１０）のファン側側壁部（１１）に、第１及び第２のファン（９５，９６）を該ケーシング（１０）から取り出し可能とするためファン点検用蓋（１２１，１２３）を設けている。このため、ケーシング（１０）の一側のファン側側壁部（１１）のファン点検用蓋（１２１，１２３）を開くだけで、２つのファン（９５，９６）を両方ともケーシング（１０）から取り出すことができる。
【０１３７】
請求項３の発明では、第１のファン（９５）と第２のファン（９６）をファン点検用蓋（１２１，１２３）の内側面に取り付けている。このため、ファン点検用蓋（１２１，１２３）を開けると、その内側面に設けられたファン（９５，９６）が同時に引き出されることとなり、ファン（９５，９６）をメンテナンスをする際の作業工数を削減できる。
【０１３８】
請求項４の発明では、冷媒回路の圧縮機（１０１）をケーシング（１０）内における第１のファン（９５）又は第２のファン（９６）の近傍に配置し、ファン点検用蓋（１２１，１２３）を開いた状態でケーシング（１０）から取り出し可能となるようにしている。このため、ファン点検用蓋（１２１，１２３）を開いた状態でケーシング（１０）から圧縮機（１０１）を容易に取り出すことができ、圧縮機（１０１）が万一故障した場合でも、その修理作業や交換作業を確実に行うことができる。
【０１３９】
請求項５の発明では、直方体状の第１吸着素子（８１）及び第２吸着素子（８２）をそれぞれの長手方向をファン側側壁部（１１）の長手方向に沿う姿勢で互いに平行に並べてケーシング（１０）内に配置すると共にファン側側壁部（１１）に直交するケーシング（１０）の側壁部（１７，１８）の少なくとも１つに素子点検用蓋（１３１，１３２）を設けている。このため、第１及び第２吸着素子（８１，８２）をそれぞれの長手方向に沿ってスライドさせるだけで、これら吸着素子（８１，８２）を取り出すことができる。よって、加熱器（１０２）を移動させずに吸着素子（８１，８２）をケーシング（１０）から取り出すことができ、吸着素子（８１，８２）のメンテナンスの作業性を向上させることができる。
【０１４０】
請求項６において、各熱交換器（１０３，１０４）は、吹出側がケーシング（１０）の吹出口（１４，１６）に接続されたファン（９５，９６）の吸込側に設けられている。つまり、ファン点検用蓋（１２１，１２３）を開ければ、熱交換器（１０３，１０４）に遮られることなくファン（９５，９６）に手が届く状態となっている。このため、各熱交換器（１０３，１０４）を取り外すことなく、ファン点検用蓋（１２１，１２３）を開ければファン（９５，９６）のメンテナンスが行える。
【０１４１】
請求項７の発明では、調湿装置において、第１吸込口（１３）及び第２吹出口（１６）が室外に連通して第２吸込口（１５）及び第１吹出口（１４）が室内に連通する設置状態に対応した第１の運転制御と、第１吸込口（１３）及び第２吹出口（１６）が室内に連通して第２吸込口（１５）及び第１吹出口（１４）が室外に連通する設置状態に対応した第２の運転制御とを切換可能となっている。このため、どちらの設置状態で調湿装置を設置しても、調湿装置の運転制御を切り換えるだけで、室内へ供給される被処理空気の除湿又は加湿を行うことができる。つまり、この発明の調湿装置では、調湿装置の構造を変更せずに運転制御を切り換えるだけで、２通りの設置状態に対応した運転が可能となる。したがって、この発明によれば、調湿装置の設置自由度を増大させることができる。
【図面の簡単な説明】
【図１】実施形態に係る調湿装置の第１の運転制御での構成及び除湿運転時の第１動作における空気の流れを示す概略構成図である。
【図２】実施形態に係る調湿装置の第１の運転制御での構成及び除湿運転時の第２動作における空気の流れを示す概略構成図である。
【図３】実施形態に係る調湿装置の第１の運転制御での構成及び加湿運転時の第１動作における空気の流れを示す概略構成図である。
【図４】実施形態に係る調湿装置の第１の運転制御での構成及び加湿運転時の第２動作における空気の流れを示す概略構成図である。
【図５】実施形態に係る調湿装置の要部拡大図である。
【図６】実施形態に係る調湿装置の吸着素子の構成を示す概略斜視図である。
【図７】実施形態に係る調湿装置の第１の運転制御での設置状態を示す概略平面図である。
【図８】実施形態に係る調湿装置におけるメンテナンス時の機器の取り出し方向を矢印で示す概略平面図である。
【図９】実施形態に係る調湿装置の第１の運転制御での点検用蓋の位置を示す概略斜視図である。
【図１０】実施形態に係る調湿装置の第２の運転制御での図７相当図である。
【図１１】実施形態に係る調湿装置の第２の運転制御での構成及び除湿運転時の第１動作における空気の流れを示す概略構成図である。
【図１２】従来の調湿装置の設置状態でダクトがクロスする状態を示す図７相当図である。
【図１３】吹出口の位置が異なるその他の実施形態に係る調湿装置の概略構成図である。
【図１４】吸込口の位置が異なるその他の実施形態に係る調湿装置の概略構成図である。
【図１５】第２吸込口が下側パネルに設けられたその他の実施形態に係る調湿装置の概略斜視図である。
【符号の説明】
（１０）  ケーシング
（１１）  ファン側側壁部（第１パネル）
（１３）  第１吸込口
（１４）  第１吹出口
（１５）  第２吸込口
（１６）  第２吹出口
（８１）  第１吸着素子
（８２）  第２吸着素子
（９５）  第１のファン（第１吹出ファン）
（９６）  第２のファン（第２吹出ファン）
（１０１）  圧縮器
（１０２）  再生熱交換器（加熱器）
（１０３）  第１熱交換器
（１０４）  第２熱交換器
（１２１，１２３）  ファン点検用蓋
（１３１，１３２）  素子点検用蓋
【図１】
2004353989.tif 000003
【図２】
2004353989.tif 000004
【図３】
2004353989.tif 000005
【図４】
2004353989.tif 000006
【図５】
2004353989.tif 000007
【図６】
2004353989.tif 000008
【図７】
2004353989.tif 000009
【図８】
2004353989.tif 000010
【図９】
2004353989.tif 000011
【図１０】
2004353989.tif 000012
【図１１】
2004353989.tif 000013
【図１２】
2004353989.tif 000014
【図１３】
2004353989.tif 000015
【図１４】
2004353989.tif 000016
【図１５】
2004353989.tif 000017